(57)【要約】      （修正有）【課題】従来の縦型のペン立ては、入れた場合ペン先の向きもバラバラになり見た目も悪く、目的のものを取り出すのにも手前に向けわざわざ選別しなければならず取り出すのに困惑した。小物文具入れも横置き型で整理して入れても動かすとすぐバラバラになり、他の色がついたり不備であった。また、時間がたつとほこりが内に入りこみ不快で掃除にも手間がかかった。【解決手段】ペン立て、小物文具入れを手前へ５０度の傾斜をつけ、整理しやすくするため仕切り２をつけ、見た目も良くすぐ取り出せるようにした。また、不快感を取り除くため流線形蓋４をつけ美的にも優れた文具とした。【選択図】図２
0003112265.tif 000002
【実用新案登録請求の範囲】
【請求項１】
従来の縦型ペン立てに５０度の傾斜をつけることにより、より取りやすく、仕切り（２）をつけることにより、より整理しやすくした、ななめタイプペン立て文具と従来の横置きタイプ小物入れに５０度の傾斜をつけることによりより取りやすく、また仕切り（２）をつけることにより、より整理しやすくした、斜めタイプ小物入れ文具を合体させた、蓋つき  ななめタイプ  小物入れ付きペン立て文具。
【考案の詳細な説明】
【考案の開示】
【考案が解決しようとする課題】
【０００１】従来の縦型ペン立てだと入れたとき鉛筆、万年筆等の先は内でバラバラになり見た目も悪く、取り出すのにも一回一回かき混ぜ探さねばならず不便であった。また、従来の置き型の小物入れも、整理して入れても動かすと内でバラバラになり不備だった。また、放置したままにしておくとゴミも溜まり不快だった。
【課題を解決するための手段】
【０００２】上記不便さ、雑然さ、不快感を解消するため、ペン立て、小物れに５０度の傾斜と仕切り（２）を付け、また、不快感を解消するため蓋（４）をつけた。
【考案の効果】
【０００３】ペン立て、小物入れに傾斜と仕切をつけることにより、整理もできているので、より取りやすく、入れる時も整理していれられるようになった。また、両文具に蓋をつけることにより、長期間そのままにしておいてもほこりが内に入ることがなく、色合いも落ち着いたものにすることにより、従来のものと比べより優れた文具となる。
【考案を実施するための最良の形態】
【０００４】まず、図１の様に全体として容器を流線形に形ずくることによって感じも良く、持ちたいという気持ちをそそるものとおもわれ、大きさも縦２５ｃｍ以上、横１２ｃｍ以上、高さ１４ｃｍ以上にすることによりバランスのとれた優れた文具となる。また、男性用、女性用、紳士用、ＯＬ用と色使いすることにより、使用者範囲も広がる。
次に、外装の厚さに関して、外からの衝撃から内部を守るため、また仕切りとのメリハリをつけるためにも少なくとも内部仕切りの２倍以上の厚さに、更に蓋の後部開閉部は取り外し可能で、開閉部突起を本体ホールに差し込む方式とし、長期間開閉に絶えうるだけの厚さと丈夫さを有するものとする。
次に、ペンたて部ホールに関して、少々太めの筆記具も入れられるよう最低２・０平方ｃｍ以上のホールを最低１２個以上有するようにする。こうすることにより余裕をもってたくさんの筆記具を入れることが出来る。更に、最低４平方ｃｍ以上のホールを３個以上この下部に持つことにより、マジック（７）等の太めの筆記具も入れることが図２の如く可能となる。
次に小物入れに関して、図２のように手前に来るほど高さが低くなり、４つの仕切りの内上段２段は最低２・５ｃｍ以上の間隔のある仕切りをつけることにより、最上部にはホッチキスのような少々大きめの目の文具、２段目には中型電卓（８）を、また３段目、４段目仕切りの幅は少々狭めの２・０ｃｍとすることにより、３段目には小さめの事務用スタンプを、４段目には消しゴム、ホッチキス針入れのような小型のものを、更に高さ２・５ｃｍの最手前箱にはクリップを、また斜めに出来ない小型印肉（１０）をいれることが可能となる。
更に３段部、４段目両端に最低１ｃｍ幅の仕切りをつけることにより、印鑑（９）をいれることができる。
次に、蓋に関して、手前を低く後ろに行くほど背の高い丸みを帯びた流線形の蓋にすることによって柔らかい感覚をあたえる感じのよい文具となる。
この様に、全体を斜めにすることにより、より取り出しやすく、仕切りをつけることによって整理ができ、使いやすく、丸みを持たせることに好感のもてる、美的にも優れた文具となる。
【図面の簡単な説明】
【０００５】
【図１】  蓋つきななめタイプ  ペン立て、小物入れ文具の斜視図である。
【図２】  上記文具の断面図である。
【図３】  上記文具の平面図である。
【図４】  上記文具の背面図である。
【符号の説明】
【０００６】  １    外装
２    仕切り
３    蝶番
４    蓋
５    滑り止めゴム
６    取っ手
７    マジック
８    電卓
９    印鑑
１０    朱肉
【図１】
0003112265.tif 000003
【図２】
0003112265.tif 000004
【図３】
0003112265.tif 000005
【図４】
0003112265.tif 000006
【手続補正書】
【提出日】平成16年4月27日(2004.4.27)
【手続補正１】
【補正対象書類名】実用新案登録請求の範囲
【補正対象項目名】補正の内容のとおり
【補正方法】変更
【補正の内容】
0003112265.tif 000007
0003112265.tif 000008
0003112265.tif 000009
【手続補正書】
【提出日】平成16年5月5日(2004.5.5)
【手続補正２】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
従来の縦型ペン立てに６０度の傾斜をつけることにより、より取りやすく、仕切り（２）をつけることにより、より整理しやすくした、ななめタイプペンたて文具と、従来の横置きタイプ小物入れに６０度の傾斜をつけることにより、より取りやすく、また仕切り（２）をつけることにより、より整理しやすくした、斜めタイプ小物入れ文具とを合体させた、  蓋つき  ななめタイプ  小物入れ付きペン立て文具。
【手続補正３】
【補正対象書類名】手続補正書
【補正対象項目名】手続補正２
【補正方法】変更
【補正の内容】
【手続補正２】
【補正対象書類名】明細書
【補正対象項目名】０００２
【補正方法】変更
【補正の内容】
【０００２】上記不便さ、雑然さ、不快感を解消するため、ペン立て、小物入れに６０度の傾斜と仕切り（２）を付け、また不快感を解消するため蓋（４）をつけた。


【手続補正４】
【補正対象書類名】手続補正書
【補正対象項目名】手続補正３
【補正方法】変更
【補正の内容】
【手続補正３】
【補正対象書類名】図面
【補正対象項目名】図２
【補正方法】変更
【補正の内容】
【図２】
0003112265.tif 000010
【手続補正書】
【提出日】平成16年9月5日(2004.9.5)
【手続補正１】
【補正対象書類名】実用新案登録請求の範囲
【補正対象項目名】全文
【補正方法】変更
【補正の内容】
【実用新案登録請求の範囲】
【請求項１】
縦型ペン立て文具に、基盤水平より手前に６０度の傾斜を設けることにより、より取り出しやすく、仕切りをつけることにより整理しやすくした、ななめタイプペン立て文具と、文具、横置きタイプ小物入れ前側面に、同様基盤水平より手前に６０度の傾斜をもたせ、起こすことにより取り出しやすく、また仕切りを設けることにより整理しやすくしたななめタイプ小物入れ文具とを、図２側面図からもご理解いただけるように、容器らしく調整、高さの点で後部を高く、前部を低く手前に傾斜をもたせ、見やすくし、図２例のように容器約上半分に主に筆記具を、下半分のスペースに電子辞書、計算機、小物文具等が入れられよう、仕切り２に水平より６０度の傾斜を手前に向かって設け、また図３のごとく各文具に合ったおおきさに縦仕切りを設け、出し入れしやすく、まとまりのある整理ができるようデザイン、さらに図１のように蓋を流線形にすることにより好感もてるものとした学習用、家庭用、事務用、  蓋つき  ななめタイプ  文具整理収納器。
【手続補正書】
【提出日】平成16年9月5日(2004.9.5)
【手続補正１】
【補正対象書類名】実用新案登録請求の範囲
【補正対象項目名】全文
【補正方法】変更
【補正の内容】
【実用新案登録請求の範囲】
【請求項１】
縦型ペン立て文具に、基盤水平より手前に５０度の傾斜を設けることにより、より取り出しやすく、仕切りをつけることによりより整理しやすくした、ななめタイプペンたて文具と、文具、横置きタイプ小物入れ前側面に、同様基盤水平より手前に５０度の傾斜をもたせ、起こすことにより、取り出しやすく、また仕切りを設けることにより整理しやすくしたななめタイプ小物入れ文具とを、図２側面図からもご理解いただけるように、容器らしく調整、高さの点で後部を高く、前部を低く手前に傾斜をもたせ、見やすくし、図２例のように容器約上半分に主に筆記具を、下半分のスペースに電子辞書、計算機、小物文具等が入れられるよう、仕切り２を水平より５０度の傾斜を手前に向かって設け、また図３のごとく各文具に合ったおおきさに縦仕切りを設け、出し入れしやすくまとまりのある整理ができるようデザイン、さらに図１のように蓋を流線形にすることにより好感のもてるものとした学習用、家庭用、事務用、
蓋つき  ななめタイプ  文具整理収納器。
【手続補正書】
【提出日】平成17年1月11日(2005.1.11)
【手続補正１】
【補正対象書類名】実用新案登録請求の範囲
【補正対象項目名】全文
【補正方法】変更
【補正の内容】
【実用新案登録請求の範囲】
【請求項１】
容器上半分に筆記具を、下半分に電子辞書、小物文具等を収納目的として、垂直ペン立て文具と文具横置き収納箱とを一つに合体、取り出しやすくするため基盤水平より手前へ６０度の傾斜を有する横仕切りをそれぞれの文具に相応した間隔で設けることを特徴として、整理しやすくするため縦仕切りも用意、ほこりよけのため前方に低く後方に高くなる流線形の蓋を設けた、家庭用、事務用、  蓋つき  ななめタイプ  事務文具整理収納器
【手続補正書】
【提出日】平成17年1月11日(2005.1.11)
【手続補正１】
【補正対象書類名】実用新案登録請求の範囲
【補正対象項目名】全文
【補正方法】変更
【補正の内容】
【実用新案登録請求の範囲】
【請求項１】
容器上半分に筆記具を、下半分に電子辞書、小物文具等を収納目的として、垂直ペン立て文具と文具横置き収納箱とを一つに合体、取り出しやすくするため基盤水平より手前へ５０度の傾斜を有する横仕切りをそれぞれの文具に相応した間隔で設けることを特徴として、整理しやすくするため縦仕切りも用意、ほこりよけのため前方に低く後方に高くなる流線形の蓋を設けた、家庭用、事務用、蓋つき  ななめタイプ  事務文具整理収納器